(57)【要約】【課題】記録用紙１５０を吸引するプラテン２２０が発生した気流に起因する記録画像の品質低下を防止する。【解決手段】負圧発生部２８０と、負圧発生部２８０で発生した負圧により複数の貫通穴２２２を介して記録用紙１５０を吸着面２２１に吸着するプラテン２２０と、プラテン２２０に吸着された記録用紙１５０の上を往復移動するキャリッジ２４０と、複数のノズル２５４を有してキャリッジ２４０に搬送される記録ヘッド２５０と、キャリッジ２４０の往復移動に同期して往復移動し、往復移動に伴って、記録ヘッド２５０の近傍で貫通穴２２２を覆う遮蔽板２７０とを備える。【選択図】図６
2009234128.tif 000002
【特許請求の範囲】
【請求項１】
負圧を発生させる負圧発生部と、
複数の貫通穴を有し、前記負圧発生部で発生した負圧に基づいて前記複数の貫通穴を介して被記録媒体を吸着面に吸着するプラテンと、
前記プラテンに対向して配され、前記プラテンに吸着された被記録媒体上を往復移動するキャリッジと、
前記キャリッジにおいて前記プラテンに対向した面に配され、被記録媒体上にインクを吐出する複数のノズルを有する記録ヘッドと、
前記キャリッジの往復移動に同期して往復移動し、往復移動に伴って、前記記録ヘッド近傍であって往復移動方向に直交する方向に位置する貫通穴を、前記吸着面の裏面から、順次、覆う貫通穴遮蔽部と
を備えた記録装置。
【請求項２】
前記記録ヘッドは、前記往復移動方向に直交する方向に整列したノズル列を、前記往復移動方向に複数有し、
前記貫通穴遮蔽部は、複数のノズル列の間に配された補助貫通穴を有する請求項１に記載の記録装置。
【請求項３】
前記貫通穴遮蔽部は、さらに、往復移動に伴って、前記記録ヘッド近傍であって往復移動方向の前後に位置する貫通穴を順次、覆う請求項２に記載の記録装置。
【請求項４】
前記貫通穴遮蔽部は、さらに、往復移動に伴って、前記記録ヘッドに対向して位置する貫通穴を順次、覆う請求項３に記載の記録装置。
【請求項５】
前記貫通穴遮蔽部は、前記記録ヘッドに対向した位置が打ち抜かれた打ち抜き部を有する請求項３に記載の記録装置。
【請求項６】
前記貫通穴遮蔽部は、前記往復移動方向の前後に、往復移動に伴って空気を前記貫通穴から剥離する方向に案内する案内部を有する請求項４または５に記載の記録装置。
【請求項７】
負圧を発生させる負圧発生部と、
複数の貫通穴を有し、前記負圧発生部で発生した負圧に基づいて前記複数の貫通穴を介して被噴射媒体を吸着面に吸着するプラテンと、
前記プラテンに対向して配され、前記プラテンに吸着された被噴射媒体の上を往復移動するキャリッジと、
前記キャリッジにおいて前記プラテンに対向した面に配され、被噴射媒体の上に液体を噴射する複数のノズルを有する液体噴射ヘッドと、
前記キャリッジの往復移動に同期して往復移動し、往復移動に伴って、前記液体噴射ヘッドの近傍であって往復移動方向に直交する方向に位置する貫通穴を、前記吸着面の裏面から、順次、覆う貫通穴遮蔽部と
を備えた液体噴射装置。
【発明の詳細な説明】
【技術分野】
【０００１】
本発明は、記録装置および液体噴射装置に関する。より詳細には、被記録媒体を吸引することにより位置決めするプラテンを備えた記録装置および液体噴射装置に関する。
【背景技術】
【０００２】
微細なノズルを備えた記録ヘッドからインク等の液体を吐出して被記録媒体に付着させるインクジェット式記録装置がある。この種の装置は、所定の走査方向に往復移動する記録ヘッドと、走査方向に対して交差する搬送方向に被記録媒体を移動させる搬送部とを備え、走査および搬送を組み合わせることにより被記録媒体上の任意の領域に液体を付着させて画像を形成する。
【０００３】
上記のような記録装置において、画像を記録し得る被記録媒体の幅方向の寸法は、その記録装置の走査方向の往復移動範囲により決まる。記録装置によっては、１ｍを越える主走査幅を有する場合もある。一方、記録装置の仕様が被記録媒体の搬送方向の寸法を制限することはない。そこで、長尺の被記録媒体を巻き重ねたロール紙を装填して、横断幕、懸垂幕等の長い画像を形成する記録装置もある。
【０００４】
ところで、インクジェット式記録装置においては、インクを吐出するノズルと被記録媒体との間隔であるプラテンギャップが記録画像の品質に強く影響する。そこで、記録ヘッドに対向する位置において被記録媒体を裏面から支持して被記録媒体を位置決めするプラテンが設けられる。
【０００５】
しかしながら、被記録媒体としてロール紙を用いた場合、ロール紙に残る巻き癖により被記録媒体がプラテンから浮き上がる場合がある。また、インクにより湿潤した被記録媒体が、コックリングと呼ばれる波うち現象を生じる場合がある。この現象も、被記録媒体がプラテンから浮き上がる原因となる。被記録媒体がプラテンから浮いた場合には、プラテンギャップが変化して記録品質が劣化するので、記録装置には、被記録媒体を吸引する吸引プラテンが装備される場合がある。
【０００６】
下記の特許文献１には、吸引口を有する案内部により被記録媒体を吸引することが記載される。これにより、被記録媒体に巻き癖、コックリング等が生じた場合も、案内部上で平坦に保持して記録品質の低下を防止できる。
【特許文献１】特開２００２−２０５８５４号公報
【発明の開示】
【発明が解決しようとする課題】
【０００７】
インクジェット式記録装置において、被記録媒体の前端および後端が吸引プラテンの上を通過する場合、一部の吸引孔が被記録媒体に遮られることなく、記録ヘッドに対して露出する。また、幅の狭い被記録媒体に対して記録をする場合も、被記録媒体の側端部において、一部の吸引孔が記録ヘッドに対して露出する場合がある。
【０００８】
一方、記録ヘッドから吐出されたインクは、吐出されたときに与えられた運動エネルギーにより、記録ヘッドから被記録媒体までの間を飛翔する。しかしながら、吸引動作をしている吸引孔が記録ヘッドに対して露出した場合、インク滴が吸引されて飛翔の軌道が変化する。このため、被記録媒体の表面において意図した領域とは異なる領域にインクが付着して、画像に歪みを生じる場合がある。
【課題を解決するための手段】
【０００９】
そこで、上記課題の解決を目して、本発明の第１の形態として、負圧を発生させる負圧発生部と、複数の貫通穴を有し、負圧発生部で発生した負圧に基づいて複数の貫通穴を介して被記録媒体を吸着面に吸着するプラテンと、プラテンに対向して配され、プラテンに吸着された被記録媒体上を往復移動するキャリッジと、キャリッジにおいてプラテンに対向した面に配され、被記録媒体上にインクを吐出する複数のノズルを有する記録ヘッドと、キャリッジの往復移動に同期して往復移動し、往復移動に伴って、記録ヘッド近傍であって往復移動方向に直交する方向に位置する貫通穴を、吸着面の裏面から、順次、覆う貫通穴遮蔽部とを備えた記録装置が提供される。これにより、搬送方向について、記録ヘッドに対向する領域の前後において貫通穴遮蔽部が吸引孔を閉塞するので、被記録媒体の前端および後端において、記録ヘッドから吐出されたインクが吸引されることが防止される。従って、被記録媒体の端部近傍においても、高品質な画像を形成できる。
【００１０】
上記記録装置において、記録ヘッドは、往復移動方向に直交する方向に整列したノズル列を、往復移動方向に複数有し、貫通穴遮蔽部は、複数のノズル列の間に配された補助貫通穴を有してもよい。これにより、記録ヘッドから吐出されたインクが被記録媒体に付着する領域の直近においては、補助貫通穴を介して被記録媒体の吸引が有効となる。従って、被記録媒体の状態如何にかかわらず所定のプラテンギャップが維持され、高品質な画像が記録される。
【００１１】
上記記録装置において、貫通穴遮蔽部は、さらに、往復移動に伴って、記録ヘッド近傍であって往復移動方向の前後に位置する貫通穴を順次、覆ってもよい。これにより、被記録媒体の側端部においても、記録ヘッドから吐出されたインクが吸引穴に吸引されることに起因する記録画像の品質低下が防止される。
【００１２】
上記記録装置において、貫通穴遮蔽部は、さらに、往復移動に伴って、記録ヘッドに対向して位置する貫通穴を順次、覆ってもよい。これにより、吸引穴により生じた気流が記録ヘッドから吐出されたインク滴に与える影響が防止され、高品質な画像が記録される。
【００１３】
上記記録装置において、貫通穴遮蔽部は、記録ヘッドに対向した位置が打ち抜かれた打ち抜き部を有してもよい。これにより、記録ヘッドの直下においては吸引穴が有効になり、被記録媒体のプラテンギャップが維持される。従って、所期の高品質な画像記録が実行される。
【００１４】
上記記録装置において、貫通穴遮蔽部は、往復移動方向の前後に、往復移動に伴って空気を貫通穴から剥離する方向に案内する案内部を有してもよい。これにより、貫通穴遮蔽部を移動させることにより記録装置にかかる負荷を低減できる。また、貫通穴遮蔽部により遮られた気流が、遮蔽されていない吸引穴に円滑に誘導されるので、負圧発生部にかかる負荷も低減される。
【００１５】
また、本発明の第２の形態として、負圧を発生させる負圧発生部と、複数の貫通穴を有し、負圧発生部で発生した負圧に基づいて複数の貫通穴を介して被噴射媒体を吸着面に吸着するプラテンと、プラテンに対向して配され、プラテンに吸着された被噴射媒体の上を往復移動するキャリッジと、キャリッジにおいてプラテンに対向した面に配され、被噴射媒体の上に液体を噴射する複数のノズルを有する液体噴射ヘッドと、キャリッジの往復移動に同期して往復移動し、往復移動に伴って、液体噴射ヘッドの近傍であって往復移動方向に直交する方向に位置する貫通穴を、吸着面の裏面から、順次、覆う貫通穴遮蔽部とを備えた液体噴射装置が提供される。これにより、液体噴射装置においても上記の効果を享受できる。
【００１６】
なお、上記の発明の概要は、本発明の必要な特徴の全てを列挙したものではない。また、これらの特徴群のサブコンビネーションも発明となり得る。
【発明を実施するための最良の形態】
【００１７】
以下、発明の実施の形態を通じて本発明を説明するが、以下の実施形態は特許請求の範囲にかかる発明を限定するものではない。また、実施の形態において説明されている特徴の組み合わせの全てが発明の解決手段に必須であるとは限らない。
【実施例１】
【００１８】
図１は、記録装置１００を前面から見た外観を示す斜視図である。なお、この記録装置１００は、例えばＪＩＳ規格のＡ０判、ＪＩＳ規格のＢ０判といった大判の単票、同単票と同じ用紙幅を有する記録用紙１５０に画像を記録する機能を有する。
【００１９】
記録装置１００は、互いに積層された上部筐体１１２および下部筐体１１４と、下部筐体１１４の下に釣り下げられた小型筐体１１６とを含む筐体１１０を有する。また、筐体１１０を下方から支持する脚部１２０を有する。これにより、筐体１１０の下方に記録用紙１５０の排紙のスペースを形成する。記録用紙１５０は、上部筐体１１２および下部筐体１１４の間を後方から前方に向かって通過しつつ画像を記録され、図示のように前面から排出される。
【００２０】
上部筐体１１２は、後述する内部機構２００を収容する。一方、下部筐体１１４は、これも後述する負圧発生部２８０等を収容する。更に、小型筐体１１６は、廃液吸収体等を収容する。廃液吸収体は、記録ヘッド２５０から吐出されながら記録用紙１５０に付着しなかったインクを吸収して蓄積する。
【００２１】
更に、上部筐体１１２は、この記録装置１００をスタンドアロンで操作する場合に使用する操作パネル１３０を有する。操作パネル１３０は、記録装置１００の動作状態を示す表示パネル、ランプ等を有する場合もある。一方、下部筐体１１４には、インクを収容したインクカートリッジ１４２を装填するカートリッジホルダ１４０が設けられる。
【００２２】
図２は、記録装置１００を背面から見た外観を示す斜視図である。同図に示すように、記録装置１００の背面において、下部筐体１１４の後部には、水平に掛け渡されたスピンドル１６０と、スピンドル１６０を挿通されて水平に支持されたロール１５２とが装着される。ロール１５２は、記録用紙１５０を巻き重ねて形成され、ロール１５２から引き出された記録用紙１５０が、筐体１１０の内部を通過して前面に引き出される。
【００２３】
図３は、記録装置１００の内部機構２００を示す斜視図である。内部機構２００は、搬送部２１０、プラテン２２０、排出部２３０、キャリッジ２４０、記録ヘッド２５０および駆動部２６０を含む。
【００２４】
搬送部２１０は、互いに平行な搬送駆動ローラ２１２および搬送従動ローラ２１４を有する。搬送駆動ローラ２１２は、図示されていない搬送モータにより回転駆動される。搬送従動ローラ２１４は、搬送駆動ローラ２１２に接して連れ回される。記録用紙１５０は、搬送駆動ローラ２１２および搬送従動ローラ２１４の間に挟まれて、図中に矢印Ｔにより示す搬送方向に送り出される。
【００２５】
搬送方向Ｔについて、搬送部２１０の前方にはプラテン２２０が配される。プラテン２２０は、水平な吸着面２２１と、吸着面２２１の全面にわたって分布する貫通穴２２２とを有する。
【００２６】
搬送方向Ｔについて、プラテン２２０の前方には、排出部２３０が配される。排出部２３０は、互いに平行な排出駆動ローラ２３２および排出従動ローラ２３４を有する。排出駆動ローラ２３２は、図示されていない搬送モータにより回転駆動される。排出従動ローラ２３４は、排出駆動ローラ２３２に接して連れ回される。記録用紙１５０は、排出駆動ローラ２３２および排出従動ローラ２３４の間に挟まれて、筐体１１０の前面に送り出される。
【００２７】
また、プラテン２２０の上方には、キャリッジ２４０と、キャリッジ２４０に搭載された記録ヘッド２５０が配される。キャリッジ２４０は、搬送従動ローラ２１４および排出従動ローラ２３４の上方に水平に配置された一対の案内軸２４２に案内され、図中に矢印Ｓで示す走査方向に往復移動する。
【００２８】
搬送部２１０の後方には、駆動部２６０が配される。駆動部２６０は、キャリッジモータ２６２と、キャリッジモータにより回転駆動される駆動プーリ２６１と、駆動プーリ２６１との間にタイミングベルト２６４、２６６を張り渡されて連れ回される従動プーリ２６３とを含む。
【００２９】
一方のタイミングベルト２６４は、駆動プーリ２６１および従動プーリ２６３の間で案内軸２４２と平行に走行する。また、タイミングベルト２６４は、キャリッジ２４０に結合される。これにより、キャリッジ２４０は、キャリッジモータ２６２の回転方向および回転量に応じてプラテン２２０上で移動する。
【００３０】
記録ヘッド２５０は、キャリッジ２４０に搬送されて往復移動しつつ、プラテン２２０の吸着面２２１に向かってインクを吐出する。これにより、プラテン２２０上の記録用紙１５０に対して画像を記録する。更に、内部機構２００は、もう一対の案内軸２７２および遮蔽板２７０を有するが、これらについては図４を参照して説明する。
【００３１】
図４は、図３に示した内部機構２００を下から見上げた様子を示す斜視図である。なお、図３と共通の構成要素には同じ参照番号を付して重複する説明を省く。
【００３２】
プラテン２２０の下方には、プラテン２２０の前後に、プラテンと平行に一対の案内軸２７２が配される。また、プラテン２２０の下方には、案内軸２７２に支持された遮蔽板２７０が配される。
【００３３】
遮蔽板２７０は、案内軸２７２に沿って、プラテンの下方を、矢印Ｓで示す走査方向に移動する。また、遮蔽板２７０とは、複数の補助貫通穴２７４を有するが、これについては後述する。
【００３４】
また、駆動部２６０は、従動プーリ２６３との間にタイミングベルト２６８を張り渡された更にひとつの従動プーリ２６３を有する。タイミングベルト２６８は、プラテン２２０の後方で、プラテン２２０と平行且つ水平に走行する。タイミングベルト２６８は、遮蔽板２７０の後端に結合される。
【００３５】
これにより、遮蔽板２７０は、キャリッジモータ２６２の回転方向および回転量に応じて往復移動する。また、この往復移動は、キャリッジ２４０の往復移動に同期している。
【００３６】
図５は、遮蔽板２７０単独の形状を示す斜視図である。遮蔽板２７０は、図中に矢印Ｔで示す搬送方向について、前端および後端に水平な軸穴２７６を有する。軸穴２７６には案内軸２７２が挿通される。
【００３７】
また、遮蔽板２７０は、搬送方向について後端に、水平な切り込みとして形成された把持部２７８を有する。把持部２７８は、タイミングベルト２６８に嵌合して、遮蔽板２７０をタイミングベルト２６８と共に走行させる。
【００３８】
更に、遮蔽板２７０は、搬送方向について中程において一対の段差に挟まれた遮蔽部２７３と、遮蔽部２７３の平坦部において表裏を貫通して形成された補助貫通穴２７４とを有する。補助貫通穴２７４の機能については、図６を参照して説明する。
【００３９】
図６は、内部機構２００における記録用紙１５０の搬送経路３００を模式的に示す図である。なお、ここまでに説明した他の図と共通の構成要素には同じ参照番号を付して重複する説明を省く。
【００４０】
図示のように、プラテン２２０は、負圧発生部２８０の一部をなす。即ち、負圧発生部２８０は、ダクト２８６を介して外部に連通する吸引ファン２８２と、吸引ファン２８２により発生した負圧を、プラテン２２０の貫通穴２２２に連通させる負圧室２８４とを有する。プラテン２２０は、負圧室２８４の天井面をなす。
【００４１】
上記のような負圧発生部２８０を有する内部機構２００において、記録用紙１５０は、搬送部２１０および排出部２３０の少なくとも一方に搬送されて、プラテン２２０の吸着面２２１の上を走行する。このとき、貫通穴２２２の各々は、負圧室２８４に連通して負圧となり、記録用紙１５０を吸着する。
【００４２】
ただし、プラテン２２０の下方に遮蔽板２７０が位置する場合は、貫通穴２２２が遮蔽板２７０の遮蔽部２７３により閉塞されるので、負圧室２８４の負圧は、プラテン２２０の吸着面２２１に及ばない。しかしながら、遮蔽部２７３の一部には補助貫通穴２７４が形成されている。このため、補助貫通穴２７４が形成された領域では、遮蔽板２７０がプラテン２２０の下方に位置する場合も、貫通穴２２２が負圧室２８４に連通して吸引力を発生する。
【００４３】
図７は、記録ヘッド２５０におけるノズル２５４の列と補助貫通穴２７４との位置関係を示す図である。なお、記録ヘッド２５０は、複数のノズル２５４が、矢印Ｔで示す搬送方向に配列されたノズル２５４の列を複数有する。図７では、ノズル２５４の配置が判りやすいように、記録ヘッド２５０のハウジングを取り除いて、ノズル２５４が形成されたノズルプレート２５２を露出させて描いている。
【００４４】
図示のように、プラテン２２０の裏面に接近して貫通穴２２２を遮蔽する遮蔽部２７３は、ノズルプレート２５２においてノズル２５４が配置された領域よりも広い。従って、キャリッジ２４０の走査方向についても、記録用紙１５０の搬送方向についても、インクを吐出するノズル２５４の周囲の領域では、貫通穴２２２が遮蔽板２７０により遮蔽され、吸引力が遮断される。
【００４５】
このように、遮蔽板２７０は、往復移動に伴って、記録ヘッド２５０近傍であって往復移動方向の前後に位置する貫通穴２２２を順次覆っている。これにより、記録用紙１５０の側端部においても、記録ヘッド２５０から吐出されたインクが貫通穴２２２に吸引されることに起因する記録画像の品質低下が防止される。
【００４６】
また、ノズル２５４の列の各々と、遮蔽板２７０の補助貫通穴２７４とは、矢印Ｓで示す走査方向について交互になるように配置される。これにより、プラテン２２０の貫通穴２２２のうち、ノズル２５４の直下に位置するものは遮蔽板２７０に遮蔽されるが、それに隣接する領域では補助貫通穴２７４を介して吸引力を発生する。また、キャリッジ２４０および遮蔽板２７０が往復移動する場合には、移動方向に沿って、貫通穴２２２が順次閉塞される。
【００４７】
このように、遮蔽板２７０は、往復移動に伴って、記録ヘッド２５０に対向して位置する貫通穴２２２を順次覆われる。これにより、貫通穴２２２の吸引により生じた気流が記録ヘッド２５０から吐出されたインク滴に与える影響が防止され、高品質な画像が記録される。
【００４８】
更に、記録ヘッド２５０は、往復移動方向に直交する方向に整列したノズル２５４の列を、往復移動方向に複数有して、遮蔽板２７０は、複数のノズル２５４の列の間に配された補助貫通穴２７４を有する。これにより、記録ヘッド２５０から吐出されたインクが記録用紙１５０に付着する領域の直近においては、補助貫通穴２７４を介して記録用紙１５０の吸引が有効となる。従って、記録用紙１５０の状態如何にかかわらず所定のプラテン２２０ギャップが維持され、高品質な画像が記録される。
【００４９】
このようにして、負圧を発生させる負圧発生部２８０と、複数の貫通穴２２２を有し、負圧発生部２８０で発生した負圧に基づいて複数の貫通穴２２２を介して記録用紙１５０を吸着面２２１に吸着するプラテン２２０と、プラテン２２０に対向して配され、プラテン２２０に吸着された記録用紙１５０上を往復移動するキャリッジ２４０と、キャリッジ２４０においてプラテン２２０に対向した面に配され、記録用紙１５０上にインクを吐出する複数のノズル２５４を有する記録ヘッド２５０と、キャリッジ２４０の往復移動に同期して往復移動し、往復移動に伴って、記録ヘッド２５０近傍であって往復移動方向に直交する方向に位置する貫通穴２２２を、吸着面２２１の裏面から、順次、覆う遮蔽板２７０とを備えた記録装置１００が形成される。これにより、搬送方向について、記録ヘッド２５０に対向する領域の前後において遮蔽板２７０が吸引孔を閉塞するので、記録用紙１５０の前端および後端において、記録ヘッド２５０から吐出されたインクが吸引されることが防止される。従って、記録用紙１５０の端部近傍においても、高品質な画像を形成できる。
【００５０】
なお、プラテンおよび遮蔽板は、金属またはプラスチックにより形成することができる。また、貫通穴２２２における吸引力を遮断するという機能に鑑みて、プラテン２２０の下面と遮蔽板２７０の上面との間隙は、相互に接触しない範囲で極力狭いことが好ましい。
【００５１】
既に説明したように、貫通穴２２２による吸引力が発生した気流が記録ヘッド２５０による記録品質に与える影響は、記録用紙１５０の搬送方向前端および後端と、側端において顕著になる。一方、記録ヘッド２５０がインクを吐出する場合は、巻き癖、コックリング等に打ち勝って、プラテン２２０が吸着することにより、記録用紙１５０が平坦になっていることが望ましい。
【００５２】
図８は、上記のような観点に基づく遮蔽板２７０の他の形態を示す図である。なお、以下に説明する部分を除くと、この遮蔽板２７０は、図５に示した遮蔽板２７０と同じ構造を有する。そこで、同じ構成要素には同じ参照番号を付して重複する説明を省く。
【００５３】
この遮蔽板２７０は、記録ヘッド２５０に対向する位置に、大きな打ち抜き部２７９を有する。これにより、遮蔽板２７０は、記録ヘッド２５０の周囲において吸引力を遮断するが、記録ヘッド２５０に対向する領域では、貫通穴２２２による吸引を妨げない。
【００５４】
このように、遮蔽板２７０は、記録ヘッド２５０に対向した位置が打ち抜かれた打ち抜き部２７９を有してもよい。これにより、記録ヘッド２５０の直下においては貫通穴２２２による吸引が有効になり、記録用紙１５０のプラテン２２０ギャップが維持される。従って、所期の高品質な画像記録が実行される。
【００５５】
図９は、遮蔽板２７０のまた他の形態を示す図である。なお、以下に説明する部分を除くと、この遮蔽板２７０は、図５および図８に示した遮蔽板２７０と同じ構造を有する。そこで、同じ構成要素には同じ参照番号を付して重複する説明を省く。
【００５６】
図示のように、この遮蔽板２７０は、矢印Ｓで示す走査方向について前端および後端に、先端に行くほど厚さが薄くなるテーパ部２７５を有する。これにより、遮蔽板２７０が、プラテン２２０の下面近傍を走行する場合に、遮蔽板２７０に対する空気抵抗が低減される。
このように、遮蔽板２７０は、往復移動方向の前後に、往復移動に伴って空気を貫通穴から剥離する方向に案内する案内部を有してもよい。これにより、遮蔽板２７０を移動させることにより記録装置１００にかかる負荷を低減できる。また、遮蔽板２７０により遮られた気流が、遮蔽されていない貫通穴２２２に円滑に誘導されるので、負圧発生部２８０にかかる負荷も低減される。
【００５７】
更に、遮蔽板２７０に沿って生じる気流が円滑に流れるので、遮蔽板２７０の移動に伴って乱流が発生することが防止される。従って、記録ヘッド２５０から吐出されたインク滴の飛翔に影響を与えることが防止される。
【００５８】
以上、本発明を実施の形態を用いて説明したが、本発明の技術的範囲は上記実施の形態に記載の範囲に限定されない。また、上記実施の形態に、多様な変更または改良を加え得ることは当業者に明らかである。更に、その様な変更または改良を加えた形態も本発明の技術的範囲に含まれ得ることが、特許請求の範囲の記載から明らかである。
【図面の簡単な説明】
【００５９】
【図１】記録装置１００を前面から見た外観を示す斜視図である。
【図２】記録装置１００を背面から見た外観を示す斜視図である。
【図３】記録装置１００の内部機構２００を示す斜視図である。
【図４】内部機構２００を下から見上げた様子を示す斜視図である。
【図５】遮蔽板２７０単独の形状を示す斜視図である。
【図６】内部機構２００における記録用紙１５０の搬送経路３００を示す図である。
【図７】補助貫通穴２７４とノズル２５４の列との位置関係を示す図である。
【図８】遮蔽板２７０の他の形態を示す図である。
【図９】遮蔽板２７０のまた他の形態を示す図である。
【符号の説明】
【００６０】
１００  記録装置、１１０  筐体、１１２  上部筐体、１１４  下部筐体、１１６  小型筐体、１２０  脚部、１３０  操作パネル、１４０  カートリッジホルダ、１４２  インクカートリッジ、１５０  記録用紙、１５２  ロール、１６０  スピンドル、２００  内部機構、２１０  搬送部、２１２  搬送駆動ローラ、２１４  搬送従動ローラ、２２０  プラテン、２２１  吸着面、２２２  貫通穴、２３０  排出部、２３２  排出駆動ローラ、２３４  排出従動ローラ、２４０  キャリッジ、２４２、２７２  案内軸、２５０  記録ヘッド、２５２  ノズルプレート、２５４  ノズル、２６０  駆動部、２６１  駆動プーリ、２６２  キャリッジモータ、２６３  従動プーリ、２６４、２６６、２６８  タイミングベルト、２７０  遮蔽板、２７３  遮蔽部、２７４  補助貫通穴、２７５  テーパ部、２７６  軸穴、２７８  把持部、２７９  打ち抜き部、２８０  負圧発生部、２８２  吸引ファン、２８４  負圧室、２８６  ダクト、３００  搬送経路
【図１】
2009234128.tif 000003
【図２】
2009234128.tif 000004
【図３】
2009234128.tif 000005
【図４】
2009234128.tif 000006
【図５】
2009234128.tif 000007
【図６】
2009234128.tif 000008
【図７】
2009234128.tif 000009
【図８】
2009234128.tif 000010
【図９】
2009234128.tif 000011